(57)【要約】    【課題】複数の視聴者に対してそれぞれ任意の視聴位置で視聴させることのできる装置を提供する。    【解決手段】ディスプレイ部１９において２種類のテレビ映像を同時に表示し、その各テレビ映像に対応付けて２種類のテレビ音声を、左画面用高指向性スピーカ２２Ｌおよび２２Ｒと、右画面用高指向性スピーカ２３Ｌおよび２３Ｒとからそれぞれ出力する。そして、駆動部２７Ｌ、２７Ｒ、２８Ｌおよび２８Ｒの駆動動作により、変更後の音声出力範囲が２つの視聴位置において互いに重ならないように、各高指向性スピーカの向きを変える。【選択図】図２
2006109241.tif 000002
【特許請求の範囲】
【請求項１】
複数の音声を出力し、各音声をそれぞれ異なる狭い出力範囲に出力する狭範囲音声出力手段と、
前記狭範囲音声出力手段によって出力される各音声が複数の視聴位置において互いに干渉しないように、その各音声の出力方向をそれぞれ変更する出力方向変更手段とを備えることを特徴とする音声出力装置。
【請求項２】
請求項１の音声出力装置において、
前記狭範囲音声出力手段は、近接する複数のスピーカから前記各音声をそれぞれ異なる狭い出力範囲に出力することを特徴とする音声出力装置。
【請求項３】
請求項２の音声出力装置において、
前記狭範囲音声出力手段は、
自身の向きを基準として予め定められた所定の出力範囲に音声を出力する、互いに近接する複数の高指向性スピーカと、
前記各高指向性スピーカにそれぞれ異なる音声を出力させる音声出力制御手段とを有し、
前記出力方向変更手段は、
前記各高指向性スピーカの向きを変えるための駆動動作を行う駆動手段と、
前記駆動手段の駆動動作を制御することにより、変更後の出力範囲が前記複数の視聴位置において互いに重ならないように、前記各高指向性スピーカによって出力される各音声の出力方向をそれぞれ変更する制御手段とを有することを特徴とする音声出力装置。
【請求項４】
請求項１〜３のいずれかの音声出力装置において、
前記視聴位置を検出するための視聴位置検出手段をさらに備え、
前記出力方向変更手段は、前記視聴位置検出手段により検出された視聴位置に基づいて、前記各音声の出力方向をそれぞれ変更することを特徴とする音声出力装置。
【請求項５】
請求項４の音声出力装置において、
前記視聴位置検出手段は、外部のリモコンからの無線信号が送信されてきた方向を検出し、その方向に基づいて前記視聴位置を検出することを特徴とする音声出力装置。
【請求項６】
請求項１〜５のいずれかの音声出力装置において、
前記狭範囲音声出力手段は、内容が同一で音量の異なる複数の音声を出力することを特徴とする音声出力装置。
【請求項７】
請求項１〜５のいずれかの音声出力装置において、
前記狭範囲音声出力手段は、内容が同一でトーン特性の異なる複数の音声を出力することを特徴とする音声出力装置。
【請求項８】
請求項１〜５のいずれかの音声出力装置において、
前記狭範囲音声出力手段は、使用言語の異なる複数の音声を出力することを特徴とする音声出力装置。
【請求項９】
請求項１〜８のいずれかの音声出力装置において、
前記狭範囲音声出力手段によって出力される各音声の出力範囲よりも広い出力範囲に音声を出力する広範囲音声出力手段と、
前記狭範囲音声出力手段または前記広範囲音声出力手段のいずれか一方に切り替えて音声を出力させ、もう一方からは音声を出力させない音声出力切り替え手段とをさらに備えることを特徴とする音声出力装置。
【請求項１０】
請求項１〜９のいずれかの音声出力装置と、
映像を表示する映像表示手段とを備え、
前記映像表示手段により表示される映像に対応付けて、前記狭範囲音声出力手段より複数の音声を出力することを特徴とする映像表示装置。
【請求項１１】
請求項１０の映像表示装置において、
前記映像表示手段は複数の映像を同時に表示し、
その映像表示手段により同時に表示される複数の映像に対応付けて、前記狭範囲音声出力手段より複数の音声を出力することを特徴とする映像表示装置。
【発明の詳細な説明】
【技術分野】
【０００１】
本発明は、複数の映像を同時に表示する映像表示装置などにおいて使用され、複数のユーザに対してそれぞれ異なる音声を出力する音声出力装置に関する。
【背景技術】
【０００２】
左右に複数並べて配置された高指向性のスピーカを備え、複数の映像を同時に画面表示すると共に、その複数の映像のそれぞれに対応する複数の音声を各スピーカからそれぞれ出力する装置が知られている（特許文献１）。この装置を用いると、複数のユーザが同時に異なるテレビ番組を視聴するときに、各ユーザが互いに音声の干渉を受けることなく番組を視聴することができる。
【０００３】
【特許文献１】特開２０００−１５２１２３号公報
【発明の開示】
【発明が解決しようとする課題】
【０００４】
特許文献１の装置では、各スピーカからの音声が互いに干渉を受けない範囲は限られており、画面に対してその範囲は固定されている。したがって、各ユーザは限られた固定の範囲内にある視聴位置でテレビ番組を視聴しなければならないため、使い勝手が悪いという問題がある。そのため、複数の視聴者に対してそれぞれ任意の視聴位置で視聴させることのできる装置が求められている。
【課題を解決するための手段】
【０００５】
請求項１の発明による音声出力装置は、複数の音声を出力し、各音声をそれぞれ異なる狭い出力範囲に出力する狭範囲音声出力手段と、狭範囲音声出力手段によって出力される各音声が複数の視聴位置において互いに干渉しないように、その各音声の出力方向をそれぞれ変更する出力方向変更手段とを備えるものである。
請求項２の発明は、請求項１の音声出力装置において、狭範囲音声出力手段は、近接する複数のスピーカから各音声をそれぞれ異なる狭い出力範囲に出力することとしたものである。
請求項３の発明は、請求項２の音声出力装置において、狭範囲音声出力手段は、自身の向きを基準として予め定められた所定の出力範囲に音声を出力する、互いに近接する複数の高指向性スピーカと、各高指向性スピーカにそれぞれ異なる音声を出力させる音声出力制御手段とを有し、出力方向変更手段は、各高指向性スピーカの向きを変えるための駆動動作を行う駆動手段と、駆動手段の駆動動作を制御することにより、変更後の出力範囲が複数の視聴位置において互いに重ならないように、各高指向性スピーカによって出力される各音声の出力方向をそれぞれ変更する制御手段とを有することとしたものである。
請求項４の発明は、請求項１〜３のいずれかの音声出力装置において、視聴位置を検出するための視聴位置検出手段をさらに備え、出力方向変更手段は、視聴位置検出手段により検出された視聴位置に基づいて、各音声の出力方向をそれぞれ変更することとしたものである。
請求項５の発明は、請求項４の音声出力装置において、視聴位置検出手段は、外部のリモコンからの無線信号が送信されてきた方向を検出し、その方向に基づいて視聴位置を検出することとしたものである。
請求項６の発明は、請求項１〜５のいずれかの音声出力装置において、狭範囲音声出力手段は、内容が同一で音量の異なる複数の音声を出力することとしたものである。
請求項７の発明は、請求項１〜５のいずれかの音声出力装置において、狭範囲音声出力手段は、内容が同一でトーン特性の異なる複数の音声を出力することとしたものである。
請求項８の発明は、請求項１〜５のいずれかの音声出力装置において、狭範囲音声出力手段は、使用言語の異なる複数の音声を出力することとしたものである。
請求項９の発明は、請求項１〜８のいずれかの音声出力装置において、狭範囲音声出力手段によって出力される各音声の出力範囲よりも広い出力範囲に音声を出力する広範囲音声出力手段と、狭範囲音声出力手段または広範囲音声出力手段のいずれか一方に切り替えて音声を出力させ、もう一方からは音声を出力させない音声出力切り替え手段とをさらに備えるものである。
請求項１０の発明による映像表示装置は、請求項１〜９のいずれかの音声出力装置と、映像を表示する映像表示手段とを備え、映像表示手段により表示される映像に対応付けて、狭範囲音声出力手段より複数の音声を出力するものである。
請求項１１の発明は、請求項１０の映像表示装置において、映像表示手段は複数の映像を同時に表示し、その映像表示手段により同時に表示される複数の映像に対応付けて、狭範囲音声出力手段より複数の音声を出力するものである。
【発明の効果】
【０００６】
本発明によれば、複数の音声をそれぞれ異なる狭い出力範囲に出力し、これらの各音声が複数の視聴位置において互いに干渉しないように、その各音声の出力方向をそれぞれ変更することとした。このようにしたので、複数の視聴者に対してそれぞれ任意の視聴位置で視聴させることができる。
【発明を実施するための最良の形態】
【０００７】
本発明の一実施形態による映像表示装置のブロック図を図１に示す。この映像表示装置は、１つの画面内に２種類のテレビ映像を同時に表示するとともに、各テレビ映像に対応付けられた２種類のテレビ音声を、任意に定められた２ヶ所の視聴位置に対して互いに干渉しないように出力する。これにより、２人の視聴者が異なるテレビ番組を同時に視聴できるようにしたものである。図１の映像表示装置は、本体部１と、左画面用リモコン２および右画面用リモコン３の２つのリモコンとを備えている。
【０００８】
左画面用リモコン２は、本体部１に向かって左側の視聴位置にいる視聴者（視聴者Ａとする）によって操作される。右画面用リモコン２は、本体部１に向かって右側の視聴位置にいるもう一方の視聴者（視聴者Ｂとする）によって操作される。左画面用リモコン２と右画面用リモコン３には、様々な操作ボタンや操作スイッチ等の操作部材が配設されており、その操作部材が視聴者ＡまたはＢによって操作されると、本体部１に対して操作内容を伝えるための操作信号を送信する。この操作信号が本体部１のリモコン受信部２５において受信されることにより、視聴者からの指示内容に基づいて後で説明するような各種の動作が行われる。
【０００９】
本体部１は、図示しないテレビアンテナと接続されている。テレビアンテナにおいて受信されたテレビジョン用のＲＦ信号は、本体部１の分配器１１に入力される。分配器１１は、このＲＦ信号を２つに分配し、左画面用チューナ部１２と右画面用チューナ部１３にそれぞれＲＦ信号ＡおよびＲＦ信号Ｂとして出力する。
【００１０】
左画面用チューナ部１２は、視聴者Ａが左画面用リモコン２を操作して指定したテレビチャンネルを選局し、ＲＦ信号Ａからそのテレビチャンネル用の映像信号と音声信号を抽出する。抽出された映像信号（映像信号Ａとする）と音声信号（音声信号Ａとする）は、それぞれ左画面用映像処理部１４と左画面用音声処理部１５に出力される。同様に右画面用チューナ部１３は、視聴者Ｂが右画面用リモコン３を操作して指定したテレビチャンネルを選局し、ＲＦ信号Ｂからそのテレビチャンネル用の映像信号と音声信号を抽出する。抽出された映像信号（映像信号Ｂとする）と音声信号（音声信号Ｂとする）は、それぞれ右画面用映像処理部１６と右画面用音声処理部１７に出力される。このとき視聴者ＡとＢは、左画面用チューナ部１２と右画面用チューナ部１３に対して、それぞれ異なるテレビチャンネルを指定してもよいし、同じテレビチャンネルを指定してもよい。
【００１１】
左画面用映像処理部１４は、左画面用チューナ部１２から出力された映像信号Ａを、所定の画像調整処理などを行った後に画面合成部１８へ出力する。同様に右画面用映像処理部１６は、右画面用チューナ部１３から出力された映像信号Ｂを、所定の画像調整処理などを行った後に画面合成部１８へ出力する。画面合成部１８は、入力された映像信号ＡおよびＢに基づいて、これらの映像信号による映像を１画面内に同時に表示するための画面合成処理を行い、合成画面信号を生成してディスプレイ部１９へ出力する。この合成画面信号をディスプレイ部１９において画面表示することにより、視聴者Ａが選んだテレビチャンネルの映像が画面左側に表示され、同時に視聴者Ｂが選んだテレビチャンネルの映像が画面右側に表示される。なおディスプレイ部１９には、たとえば液晶ディスプレイやＣＲＴ、プラズマディスプレイ、プロジェクタなど、様々なタイプの表示機器を用いることができる。
【００１２】
左画面用音声処理部１５は、左画面用チューナ部１２から出力された音声信号Ａを、ステレオ音声のＬチャンネル用の音声信号とＲチャンネル用の音声信号に分離して、増幅部２０へ出力する。同様に右画面用音声処理部１７も、右画面用チューナ部１３から出力された音声信号Ｂを、Ｌチャンネル用の音声信号とＲチャンネル用の音声信号に分離し、増幅部２０へ出力する。増幅部２０は、これらの各音声信号を増幅した後、音声出力切替部２１へ出力する。
【００１３】
音声出力切替部２１は、左画面用リモコン２の操作による視聴者Ａからの指示、または右画面用リモコン３の操作による視聴者Ｂからの指示に基づいて、増幅部２０から入力された上記の各音声信号の出力先を切り替える。各音声信号の出力先の一方は、左画面用高指向性スピーカ２２Ｌおよび２２Ｒと、右画面用高指向性スピーカ２３Ｌおよび２３Ｒである。このとき、音声信号ＡのＬチャンネルとＲチャンネルが、左画面用高指向性スピーカ２２Ｌと２２Ｒにそれぞれ出力され、音声信号ＢのＬチャンネルとＲチャンネルが、右画面用高指向性スピーカ２３Ｌと２３Ｒにそれぞれ出力される。これにより、各高指向性スピーカ２２Ｌ、２２Ｒ、２３Ｌおよび２３Ｒにそれぞれ異なる音声を出力させる。
【００１４】
各音声信号のもう一方の出力先は、スピーカ２４Ｌおよび２４Ｒである。スピーカ２４Ｌには音声信号ＡまたはＢいずれか一方のＬチャンネルが出力され、スピーカ２４Ｒには音声信号ＡまたはＢいずれか一方のＲチャンネルが出力される。なお、音声信号ＡとＢのいずれを出力するかは、視聴者ＡまたはＢが左画面用リモコン２または右画面用リモコン３を操作することによって切り替えることができる。
【００１５】
左画面用高指向性スピーカ２２Ｌおよび２２Ｒは、視聴者Ａに対して、ディスプレイ部１９の左側の画面に表示される映像に対応付けられた音声信号、すなわち音声信号Ａを音声出力するために設けられた高指向性スピーカである。左画面用高指向性スピーカ２２Ｌには音声信号ＡのＬチャンネルが出力され、左画面用高指向性スピーカ２２Ｒには音声信号ＡのＲチャンネルが出力される。同様に右画面用高指向性スピーカ２３Ｌおよび２３Ｒは、視聴者Ｂに対して、ディスプレイ部１９の右側の画面に表示される映像に対応付けられた音声信号、すなわち音声信号Ｂを出力するための高指向性スピーカである。右画面用高指向性スピーカ２３Ｌと２３Ｒには、音声信号ＢのＬチャンネルとＲチャンネルがそれぞれ出力される。
【００１６】
左画面用高指向性スピーカ２２Ｌおよび２２Ｒと、右画面用高指向性スピーカ２３Ｌおよび２３Ｒは、駆動部２７Ｌ、２７Ｒ、２８Ｌおよび２８Ｒの駆動動作によって、それぞれ首振り動作する。この首振り動作により、上記の各高指向性スピーカの向きが左右方向にそれぞれ変化する。この点については、後で詳しく説明する。
【００１７】
なお、上記で述べた高指向性スピーカとは、通常のスピーカよりも狭い所定の出力範囲に限定して音声を出力することができるスピーカである。この出力範囲はスピーカの指向性として予め定められており、スピーカの向いている方向を基準とした角度範囲によって表される。たとえば２０°の指向性を有する高指向性スピーカであれば、その向きを中心にして±１０°の角度範囲内に限定して音声を出力することができる。この出力範囲内のみで音声が聞こえ、これ以外の範囲では音声が聞こえない。このような高指向性スピーカは超指向性スピーカとも呼ばれ、たとえば特開２００４−１１２２１２号公報に開示されるようなものが知られている。
【００１８】
スピーカ２４Ｌおよび２４Ｒは、上記で述べた高指向性スピーカとは異なる通常のスピーカである。このスピーカ２４Ｌおよび２４Ｒにより、音声信号ＡとＢのうち選択されたいずれか一方に基づいて、本体部１の設置位置周囲の広い出力範囲に対して音声を出力することができる。
【００１９】
リモコン受信部２５は、前述のように左画面用リモコン２または右画面用リモコン３から送信された操作信号を受信して、制御部２６へ出力する。さらに、その操作信号の受信方向を検出して検出結果を制御部２６へ出力する。この操作信号の受信方向の検出結果は、制御部２６において後で説明するようにしてスピーカ駆動制御信号を出力するために用いられる。このようにして操作信号の受信方向を検出することにより、リモコン受信部２５において視聴者ＡとＢの視聴位置を検出する。
【００２０】
リモコン受信部２５は、たとえば次のようにして操作信号の受信方向を検出することができる。左画面用リモコン２および右画面用リモコン３は、操作信号を赤外線信号として送信する。リモコン受信部２５にはレンズとＣＣＤ素子が備えられており、レンズを介して入力された操作信号をＣＣＤ素子上に結像する。このときのＣＣＤ素子上での結像位置によって、操作信号の受信方向を求めることができる。なお、ここで述べた方法はあくまで一例であって、他の方法を用いてもよい。たとえば、複数の赤外線受光素子を横に並べて配置し、それぞれにおける検出時間の差を用いて受信方向を算出するようにすることもできる。以上説明した以外にも、様々な方法を用いることができる。
【００２１】
制御部２６は、リモコン受信部２５から出力された操作信号に基づいて視聴者ＡおよびＢからの指示内容を判断し、その指示内容に応じて各種の制御信号を本体部１内の各部へ出力する。たとえば、指定されたテレビチャンネルを選局するための制御信号を左画面用チューナ部１２または右画面用チューナ部１３へ出力する。このとき、左画面用リモコン２からの操作信号であれば左画面用チューナ部１２へ制御信号を出力し、右画面用リモコン３からの操作信号であれば右画面用チューナ部１３へ制御信号を出力する。同様に、音声の出力先を切り替えるために、音声出力切替部２１へ制御信号を出力したり、音声ボリュームを変更するために、増幅部２０へ制御信号を出力したりする。
【００２２】
ここで視聴者Ａは、左画面用リモコン２を操作することにより、左画面用高指向性スピーカ２２Ｌおよび２２Ｒに対して、視聴者Ａの視聴位置に向けて音声を出力するように指示することができる。このとき制御部２６は、リモコン受信部２５において検出された操作信号の受信方向に基づいて、駆動部２７Ｌおよび２７Ｒの駆動動作を制御するための制御信号を出力する。この制御信号により、左画面用高指向性スピーカ２２Ｌおよび２２Ｒの向きが操作信号の受信方向と一致するように、駆動部２７Ｌおよび２７Ｒの駆動動作が制御される。
【００２３】
同様に視聴者Ｂが右画面用リモコン３を操作して、右画面用高指向性スピーカ２３Ｌおよび２３Ｒからの音声を視聴者Ｂの視聴位置に向けて出力するように指示した場合、制御部２６から駆動部２８Ｌおよび２８Ｒに対して制御信号が出力される。そして、右画面用高指向性スピーカ２３Ｌおよび２３Ｒの向きが受信方向と一致するように、駆動部２８Ｌおよび２８Ｒの駆動動作が制御される。このように制御部２６から駆動部２７Ｌと２７Ｒ、または２８Ｌと２８Ｒに対して出力される制御信号のことを、以下ではスピーカ駆動制御信号と呼ぶ。なお、駆動部２７Ｌ、２７Ｒ、２８Ｌおよび２８Ｒはいずれも、たとえば回転式モータなどを用いて実現される。
【００２４】
以上説明したようにして、ディスプレイ部１９において１つの画面内に２つのテレビ映像が左右に並んで同時に表示される。さらに、左画面用リモコン２および右画面用リモコン３からの操作信号の受信方向に基づいて、左画面用高指向性スピーカ２２Ｌおよび２２Ｒと、右画面用高指向性スピーカ２３Ｌおよび２３Ｒとがそれぞれ首振り動作し、その音声出力範囲が変更される。
【００２５】
本体部１の外観図を図２に示す。（ａ）は平面図、（ｂ）は正面図を示している。ディスプレイ部１９の左側には、Ｌチャンネル音声を出力するための左画面用高指向性スピーカ２２Ｌと右画面用高指向性スピーカ２３Ｌが配設され、右側には、Ｒチャンネル音声を出力するための左画面用高指向性スピーカ２２Ｒと右画面用高指向性スピーカ２３Ｒが配設されている。このように、左画面用高指向性スピーカ２２Ｌと右画面用高指向性スピーカ２３Ｌ、および、左画面用高指向性スピーカ２２Ｒと右画面用高指向性スピーカ２３Ｒは、それぞれ互いに近接して設置されている。これらの高指向性スピーカの下側には、駆動部２７Ｌ、２７Ｒ、２８Ｌおよび２８Ｒがそれぞれ配設されており、これらによって上記の各高指向性スピーカが首振り動作する。なお、スピーカ２４Ｌおよび２４Ｒは、ディスプレイ部１９の下側の位置に左右に並べて配設されている。
【００２６】
ディスプレイ部１９の上部には、リモコン受信部２５が配設されている。ディスプレイ部１９の画面内には、符号３０Ｌと３０Ｒにそれぞれ示す別々のテレビ映像が表示されている。なお、図１に示した各構成のうち本体部１に内蔵されているもの、たとえば制御部２６などは、図２には示されていない。また、図２に示した各構成配置は一例であるため、これ以外の配置であっても構わない。
【００２７】
左画面用高指向性スピーカ２２Ｌ、２２Ｒおよび右画面用高指向性スピーカ２３Ｌ、２３Ｒをそれぞれ首振り動作させることにより、その音声出力方向を変更する様子を図３に示す。（ａ）は、左画面用高指向性スピーカ２２Ｌおよび２２Ｒの音声出力方向を視聴者Ａの視聴位置に向けて変更したときの様子を示している。実線で示す矢印３２Ｌｃと３２Ｒｃは、左画面用高指向性スピーカ２２Ｌと２２Ｒの向きの中心をそれぞれ表している。また、破線３２Ｌｌと３２Ｌｒは、左画面用高指向性スピーカ２２Ｌによって出力される音声の出力範囲をそれぞれ示しており、破線３２Ｒｌと３２Ｒｒは、左画面用高指向性スピーカ２２Ｒによって出力される音声の出力範囲をそれぞれ示している。すなわち、矢印３２Ｌｃを中心とする破線３２Ｌｌと３２Ｌｒに挟まれている範囲内に、左画面高指向性スピーカ２２Ｌからの音声が出力され、矢印３２Ｒｃを中心とする破線３２Ｒｌと３２Ｒｒに挟まれている範囲内に、左画面高指向性スピーカ２２Ｒからの音声が出力される。
【００２８】
視聴者Ａが左画面用リモコン２を用いてその視聴位置に向けて音声を出力するように本体部１に対して指示すると、（ａ）の矢印３２Ｌｃと３２Ｒｃによって示されるように、左画面用高指向性スピーカ２２Ｌおよび２２Ｒが視聴者Ａの方向に向けられる。これにより、視聴者Ａの視聴位置の周囲に左画面用高指向性スピーカ２２Ｌおよび２２Ｒからの音声出力範囲が来るように出力方向が変更され、破線３２Ｌｌと３２Ｌｒによって挟まれた範囲と、破線３２Ｒｌと３２Ｒｒによって挟まれた範囲とに、音声信号Ａによる音声が出力される。
【００２９】
図３（ｂ）は、右画面用高指向性スピーカ２３Ｌおよび２３Ｒの音声出力範囲を視聴者Ｂの視聴位置に向けて変更したときの様子を示している。（ａ）と同様に、実線で示す矢印３３Ｌｃと３３Ｒｃは、高指向性スピーカ２３Ｌと２３Ｒの向きをそれぞれ表している。また、破線３３Ｌｌと３３Ｌｒは、右画面用高指向性スピーカ２３Ｌによって出力される音声の出力範囲をそれぞれ示し、破線３３Ｒｌと３３Ｒｒは、右画面用高指向性スピーカ２３Ｒによって出力される音声の出力範囲をそれぞれ示している。すなわち、矢印３３Ｌｃを中心とする破線３３Ｌｌと３３Ｌｒに挟まれている範囲内に、右画面用高指向性スピーカ２３Ｌからの音声が出力され、矢印３３Ｒｃを中心とする破線３３Ｒｌと３３Ｒｒに挟まれている範囲内に、右画面用高指向性スピーカ２３Ｒからの音声が出力される。
【００３０】
視聴者Ｂが右画面用リモコン３を用いてその視聴位置に向けて音声を出力するように本体部１に対して指示すると、（ａ）で説明したのと同様にして、右画面用高指向性スピーカ２３Ｌおよび２３Ｒからの音声出力方向が変更される。すなわち、（ｂ）の矢印３３Ｌｃと３３Ｒｃによって示されるように、右画面用高指向性スピーカ２３Ｌおよび２３Ｒが視聴者Ｂの方向に向けられる。これにより、視聴者Ｂの視聴位置の周囲に右画面用高指向性スピーカ２３Ｌおよび２３Ｒからの音声出力範囲が来るように出力方向が変更されて、破線３３Ｌｌと３３Ｌｒによって挟まれた範囲と、破線３３Ｒｌと３３Ｒｒによって挟まれた範囲とに、音声信号Ｂによる音声が出力される。
【００３１】
なお、以上説明したようにして音声出力方向を変更する場合、各音声がそれぞれの視聴位置において互いに干渉しないようにすることが好ましい。具体的には、図３（ａ）に示す左画面用高指向性スピーカ２２Ｌおよび２２Ｒからの音声信号Ａによる変更後の音声出力範囲と、図３（ｂ）に示す右画面用高指向性スピーカ２３Ｌおよび２３Ｒからの音声信号Ｂによる変更後の音声出力範囲とが、視聴者Ａの視聴位置と視聴者Ｂの視聴位置において互いに重ならないようにする。視聴者Ａと視聴者Ｂの位置がある程度離れている場合は、上記のようにして音声出力範囲を変更しても互いに重なることはない。
【００３２】
しかし、視聴者Ａと視聴者Ｂが近くに位置している場合には、上記のようにして音声出力方向を変更すると、音声信号Ａによる変更後の音声出力範囲と、音声信号Ｂによる変更後の音声出力範囲とが、互いに重なってしまうことがある。このような場合には、重ならない範囲内で音声出力方向が変更されるように制御する。たとえば、左画面用高指向性スピーカ２２Ｌの向き（矢印３２Ｌｃ）または左画面用高指向性スピーカ２２Ｒの向き（矢印３２Ｒｃ）と、右画面用高指向性スピーカ２３Ｌの向き（矢印３３Ｌｃ）または右画面用高指向性スピーカ２３Ｒの向き（矢印３３Ｒｃ）との間の角度が、予め定められた所定の下限値よりも下回らないように制御する。このようにすることで、視聴者Ａの視聴位置と視聴者Ｂの視聴位置において、各音声が互いに干渉しないようにすることができる。
【００３３】
または、矢印３２Ｌｃまたは矢印３２Ｒｃと、矢印３３Ｌｃまたは矢印３３Ｒｃとの間の角度が所定の下限値よりも下回るような場合には、一方の音声出力を停止することで、各音声が互いに干渉しないようにしてもよい。なお、この下限値には予め設定された視聴距離に基づいて適当な値を決めておくことができる。あるいは、本体部１から視聴者Ａおよび視聴者Ｂまでの距離をそれぞれ検出するようにして、検出された距離に応じて下限値を変えるようにしてもよい。
【００３４】
以上説明したようにして、１つの画面内に２種類のテレビ映像を同時に表示するとともに、各テレビ映像に対応付けられた２種類のテレビ音声を、任意に定められた２ヶ所の視聴位置において互いに干渉しないように出力することができる。これにより、視聴者Ａは画面の左側に表示されるテレビ映像とそのテレビ音声を、また視聴者Ｂは画面の右側に表示されるテレビ映像とそのテレビ音声を、それぞれ互いに邪魔されることなく快適に視聴することができる。このような映像表示装置を用いることにより、一つの部屋の中で複数の人間が２つのテレビ番組を同時に視聴したいような場合に、映像だけでなく音声も含めてそれぞれ視聴することが可能となる。また、視聴者が部屋のどこにいても自動的に高指向性スピーカの向きを制御して音声出力範囲を変更するため、視聴位置の制約が少なくてすむ。
【００３５】
なお、上記の映像表示装置において、１つのテレビ番組を１人の視聴者に視聴させることもできる。その場合、ディスプレイ部１９にテレビ映像を表示し、スピーカ２４Ｌおよび２４Ｒからテレビ音声を広い範囲に出力することにより、通常のテレビ受信機のような使い方もできる。あるいは、左画面用高指向性スピーカ２２Ｌおよび２２Ｒ、または右画面用高指向性スピーカ２３Ｌおよび２３Ｒのいずれか一方の組、または両方の組を用いて、視聴位置に向けて狭い出力範囲でテレビ音声を出力してもよい。このようにすると、イヤホンやヘッドホンなどを使用した場合と同様に、視聴者以外の周囲の人にはテレビ音声を聞かれずに済むという効果を得ることができる。
【００３６】
さらに、左画面用高指向性スピーカ２２Ｌおよび２２Ｒと、右画面用高指向性スピーカ２３Ｌおよび２３Ｒとを用いて、視聴者ごとに異なる音声を出力することで、１つのテレビ番組を２人の視聴者に対して視聴させるようにしてもよい。たとえば、同一内容の音声を各視聴者の好みに応じて異なる音量や異なるトーン特性で出力する。あるいは、２ヶ国語放送の番組などにおいては、日本語音声と外国語音声など、使用言語の異なる２種類の音声を各視聴者に対して出力するようにしてもよい。このようにすることで、視聴者はそれぞれ自分の好みに合わせて音声内容を指定し、テレビ番組を視聴することができる。
【００３７】
以上説明した実施の形態によれば、次の作用効果を奏する。
（１）音声信号Ａによる音声と音声信号Ｂによる音声をそれぞれ異なる狭い出力範囲に出力し、これらの各音声が視聴者Ａの視聴位置と視聴者Ｂの視聴位置において互いに干渉しないように、その各音声の出力方向をそれぞれ変更することとした。このようにしたので、任意の視聴位置で視聴者Ａと視聴者Ｂにそれぞれ視聴させることができる。
【００３８】
なお、上記のようにして音声信号Ａによる音声と音声信号Ｂによる音声を出力する際には、近接する複数のスピーカから各音声をそれぞれ異なる狭い出力範囲に出力する。具体的には、音声出力切替部２１において、左画面用高指向性スピーカ２２Ｌおよび２２Ｒに音声信号Ａを出力させ、右画面用高指向性スピーカ２３Ｌおよび２３Ｒに音声信号Ｂを出力させる。これにより、互いに近接する左画面用高指向性スピーカ２２Ｌと右画面用高指向性スピーカ２３Ｌにそれぞれ異なる音声を出力させ、また、互いに近接する左画面用高指向性スピーカ２２Ｒと右画面用高指向性スピーカ２３Ｒにもそれぞれ異なる音声を出力させる。そして、制御部２６によって駆動部２７Ｌ、２７Ｒ、２８Ｌおよび２８Ｒの駆動動作を制御し、変更後の音声出力範囲が視聴者Ａの視聴位置と視聴者Ｂの視聴位置において互いに重ならないように、各高指向性スピーカの向きを変える。
【００３９】
（２）視聴者ＡおよびＢの視聴位置を検出し、検出された視聴位置に基づいて、左画面用高指向性スピーカ２２Ｌおよび２２Ｒと、右画面用高指向性スピーカ２３Ｌおよび２３Ｒの向きを変えることで、音声信号Ａによる音声と音声信号Ｂによる音声の出力方向をそれぞれ変更することとした。このようにしたので、視聴位置に合わせて音声出力方向を自動的に変更して視聴者Ａと視聴者Ｂにそれぞれ視聴させることができる。
【００４０】
（３）リモコン受信部２５において、左画面用リモコン２および右画面用リモコン３による操作信号が送信されてきた方向、すなわち操作信号の受信方向を検出し、その方向に基づいて視聴者ＡとＢの視聴位置を検出することとした。このようにしたので、視聴者ＡとＢの視聴位置を簡単かつ確実に検出することができる。
【００４１】
（４）左画面用高指向性スピーカ２２Ｌおよび２２Ｒと、右画面用高指向性スピーカ２３Ｌおよび２３Ｒから、内容が同一で音量の異なる複数の音声や、内容が同一でトーン特性の異なる複数の音声や、使用言語の異なる複数の音声を出力することもできる。このようにすれば、視聴者はそれぞれ自分の好みに合わせて音声内容を指定して視聴することができる。
【００４２】
（５）音声出力切替部２１において、左画面用高指向性スピーカ２２Ｌおよび２２Ｒと右画面用高指向性スピーカ２３Ｌおよび２３Ｒ、または、スピーカ２４Ｌおよび２４Ｒのいずれか一方に切り替えて音声を出力させ、もう一方からは音声を出力させないこととした。このようにしたので、使用目的や使用形態などに応じて音声出力範囲の広さを切り替えることができる。
【００４３】
（６）ディスプレイ部１９において２種類のテレビ映像を同時に表示し、その各テレビ映像に対応付けて２種類のテレビ音声を、左画面用高指向性スピーカ２２Ｌおよび２２Ｒと、右画面用高指向性スピーカ２３Ｌおよび２３Ｒとからそれぞれ出力することとした。このようにしたので、視聴者Ａと視聴者Ｂが異なるテレビ番組を同時に視聴できる。
【００４４】
なお、上記の実施の形態では、テレビジョン用のＲＦ信号を受信して、１つの画面内に２種類のテレビ映像を同時に表示し、２種類のテレビ音声を同時に出力する映像表示装置について説明した。しかし、本実施形態はこの内容に限定されず、映像表示と音声出力を行うものである限り、どのような装置についても適用できる。たとえば、外部から入力されるビデオ映像信号やビデオ音声信号などに基づいて映像表示と音声出力を行う装置や、ＤＶＤやハードディスクなどの各種記録媒体に記録されたデータ、外部から入力されるデータ等に基づいて映像表示と音声出力を行う装置などにも適用できる。すなわち、本発明によって各種の音声付き映像を複数の視聴者に同時に視聴させることができる。
【００４５】
さらに、映像を表示しないで音声のみを出力する装置、たとえばラジオ受信機などにおいても、複数の音声を同時に出力するものであれば、本発明を適用できる。すなわち、上記実施の形態で説明した映像表示装置において、画面表示に関わる部分は除き、音声出力に関する部分のみを用いることで、複数の音声を任意に定められた複数の視聴位置に対して互いに干渉しないように出力することができる。これにより、複数の視聴者にそれぞれ異なる内容の音声を同時に聴かせることができる。
【００４６】
また、上記実施の形態では、２種類の映像と音声を２ヶ所の視聴位置に対して同時に出力する例を説明したが、３種類以上の映像と音声を３ヶ所以上の視聴位置に対して同時に出力するようにしてもよい。その場合、同時に出力する音声の種類数に応じて高指向性スピーカの数が決められる。なおその際、ディスプレイ数やリモコンの数を変えてもよい。すなわち、複数の映像や音声を出力するものであれば、上記実施の形態と同じように本発明を適用できる。
【００４７】
上記の実施の形態において説明した内容はあくまで一例であって、本発明はこの内容に限定されるものではない。本発明の技術的思想の範囲内で考えられるその他の態様も、本発明の範囲内に含まれる。
【図面の簡単な説明】
【００４８】
【図１】本発明の一実施形態による映像表示装置のブロック図である。
【図２】本体部の外観図である。
【図３】高指向性スピーカの首振り動作によって音声出力範囲を変更する様子を示す図である。
【符号の説明】
【００４９】
１：本体部                              ２：左画面用リモコン
３：右画面用リモコン                  １１：分配器
１２：左画面用チューナ部                １３：右画面用チューナ部
１４：左画面用映像処理部                １５：左画面用音声処理部
１６：右画面用映像処理部                １７：右画面用音声処理部
１８：画面合成部                        １９：ディスプレイ部
２０：増幅部                            ２１：音声出力切替部
２２Ｌ、２２Ｒ：左画面用高指向性スピーカ
２３Ｌ、２３Ｒ：右画面用高指向性スピーカ
２４Ｌ、２４Ｒ：スピーカ
２５：リモコン受信部                    ２６：制御部
２７Ｌ、２７Ｒ、２８Ｌ、２８Ｒ：駆動部
【図１】
2006109241.tif 000003
【図２】
2006109241.tif 000004
【図３】
2006109241.tif 000005